(57)【要約】  本発明は、ケージ（３）、バルブシート（２）及び複数の閉鎖要素（４）を備える、圧縮機のポペットバルブ（１）であって、ケージ（３）は、軸方向（Ａ）に延びる複数のボア（１３）を有し、ボア（１３）はバルブシート（２）に向かって開き、バルブシート（２）とは反対の端に底部要素（７）を有する、ポペットバルブに関する。軸方向（Ａ）に変位することができるそれぞれの閉鎖要素（４）がボア（１３）のそれぞれに配置され、バルブシート（２）は、軸方向（Ａ）にボア（１３）に対向して配置される複数の通路開口（１２）を有し、それによって、通路開口（１２）のそれぞれを閉鎖要素（４）のうちの１つによって閉じることができる。各支持要素（８）がボア（１３）にそれぞれ配置され、各ばね（５）が、バルブシート（２）に向かって方向付けられる予荷重力をそれぞれの閉鎖要素（４）に印加するために、各支持要素（８）と各閉鎖要素（４）との間に配置される。各支持要素（８）は、ボア（１３）に対して偏心して配置される少なくとも１つの支持要素通路（８ａ）を有し、各底部要素（７）は、支持要素（８）及び底部要素（７）を通って軸方向（Ａ）に通路（１６）を形成するために、ボア（１３）に対して偏心して配置される少なくとも１つの底部要素通路（７ａ）を有し、この通路はボア（１３）に対して偏心して配置される。
2015526649.tif 000002
【特許請求の範囲】
【請求項１】
ケージ（３）、バルブシート（２）及び複数の閉鎖要素（４）を備える、圧縮機のポペットバルブ（１）であって、前記ケージ（３）は、軸方向（Ａ）に延びる複数のボア（１３）を有し、該ボア（１３）は前記バルブシート（２）に向かって開き、該バルブシート（２）とは反対の端に底部要素（７）を有し、前記軸方向（Ａ）に移動可能な閉鎖要素（４）が各ボア（１３）内に配置され、前記バルブシート（２）は、前記軸方向（Ａ）に前記ボア（１３）に対向して配置される複数の通路開口（１２）を有し、それによって、前記通路開口（１２）のそれぞれを前記閉鎖要素（４）のうちの１つによって閉じることができ、支持要素（８）が前記ボア（１３）のそれぞれに配置され、ばね（５）が、前記バルブシート（２）に向かって方向付けられる予荷重力を前記閉鎖要素（４）に印加するために、各支持要素（８）とそれぞれの前記閉鎖要素（４）との間に配置され、
前記支持要素（８）は、前記ボア（１３）に対して偏心して配置される少なくとも１つの支持要素開口（８ａ）を有すること、並びに、前記底部要素（７）は、前記支持要素（８）及び該底部要素（７）を通って前記軸方向（Ａ）に前記ボア（１３）に対して偏心して配置される通路（１６）を形成するために、前記ボア（１３）に対して偏心して配置される少なくとも１つの底部要素開口（７ａ）を有することを特徴とする、ポペットバルブ。
【請求項２】
前記支持要素開口（８ａ）は、前記支持要素（８）が前記底部要素（７）に載る基部本体（８ｄ）を有するように構成されること、及び、前記基部本体（８ｄ）は、周方向に少なくとも１つの部分（８ｇ）を有し、該部分（８ｇ）に沿って前記支持要素開口（８ａ）を形成するために、前記基部本体（８ｄ）が前記部分（８ｇ）に沿って縮小した直径を有し、該縮小した直径は好ましくは少なくとも２ｍｍだけ縮小されることを特徴とする、請求項１に記載のポペットバルブ。
【請求項３】
前記基部本体（８ｄ）は、前記周方向に部分（８ｇ）に沿って凹状の形状を有することを特徴とする、請求項２に記載のポペットバルブ。
【請求項４】
前記支持要素（８）は基部本体（８ｄ）を有すること、及び、該基部本体（８ｄ）は前記支持要素開口（８ａ）を形成する少なくとも１つのオリフィスを有することを特徴とする、請求項１に記載のポペットバルブ。
【請求項５】
複数の支持要素開口（８ａ）が前記支持要素（８）の周方向に離間して配置されることを特徴とする、請求項１〜４のいずれか一項に記載のポペットバルブ。
【請求項６】
前記軸方向（Ａ）に延びる前記ばね（５）は外径（５ａ）を有すること、及び、前記支持要素開口（８ａ）はこの外径（５ａ）の外側に配置されることを特徴とする、請求項１〜５のいずれか一項に記載のポペットバルブ。
【請求項７】
前記底部要素（７）は、該底部要素（７）の周方向に離間して配置される複数の底部要素開口（７ａ）を有することを特徴とする、請求項１〜６のいずれか一項に記載のポペットバルブ。
【請求項８】
前記底部要素開口（７ａ）はボアとして構成されることを特徴とする、請求項７に記載のポペットバルブ。
【請求項９】
前記支持要素（８）は、前記ボア（１３）内に移動可能に、特に前記軸方向（Ａ）に回転可能又は変位可能に取り付けられること、或いは回転可能且つ変位可能に取り付けられることを特徴とする、請求項１〜８のいずれか一項に記載のポペットバルブ。
【請求項１０】
前記少なくとも１つの底部要素開口（７ａ）及び前記少なくとも１つの支持要素開口（８ａ）は、前記底部要素（７）に対する前記支持要素（８）の全ての可能な位置において、前記支持要素（８）及び前記底部要素（７）を通る開口通路（１６）が形成されるように互いに適合して構成されることを特徴とする、請求項１〜９のいずれか一項に記載のポペットバルブ。
【請求項１１】
前記支持要素（８）は、前記軸方向（Ａ）に対して径方向に振動運動を行うことができるように前記ボア（１３）の壁に対して遊びを有することを特徴とする、請求項１〜１０のいずれか一項に記載のポペットバルブ。
【請求項１２】
前記支持要素（８）はその長手方向軸（Ａ）を中心に回転可能に取り付けられることを特徴とする、請求項１〜１１のいずれか一項に記載のポペットバルブ。
【請求項１３】
前記支持要素（８）は前記ばね（５）の案内要素（８ｃ）を有する、請求項１〜１２のいずれか一項に記載のポペットバルブ。
【請求項１４】
請求項１〜１３のいずれか一項に記載のポペットバルブ（１）を備えるピストン圧縮機。
【請求項１５】
請求項１〜１３のいずれか一項に記載のポペットバルブ（１）の修理キットであって、少なくとも１つの閉鎖要素（４）、及び、偏心して配置される支持要素開口（８ａ）を有する少なくとも１つの支持要素（８）を含む、修理キット。
【発明の詳細な説明】
【技術分野】
【０００１】
本発明は、圧縮機のポペットバルブ、そのようなポペットバルブを備えるピストン圧縮機、及びポペットバルブの修理キットに関する。
【背景技術】
【０００２】
特許文献１は、圧縮機のポペットバルブを開示している。このポペットバルブはケージを有し、ケージには複数のボアが作られている。ボアのそれぞれには閉鎖要素が配置される。閉鎖要素はキノコ形であり、ステム及びヘッドを有し、ヘッドの直径はステムの直径よりも大きい。ステムは、ケージのボア内に保持され、ばねが保持される凹部を含む。ばねは、凹部とは反対のその端において、ケージ内のボアの基部に配置される底部要素に載る。閉鎖要素のヘッドは、閉鎖状態ではバルブシートプレートのボアを閉じるように構成されており、バルブシートプレートはねじ接続によってケージに接続されている。無圧状態では、閉鎖要素は、バルブシートプレートのボアが閉じられるようにばねによって保持される。
【０００３】
閉鎖要素は、流体の圧力、特に、ポペットバルブのバルブシートプレートのボアに流れ込むガスが、閉鎖要素のヘッドにばねのばね力を超える力を加えると開く。特許文献１によると、底部要素の厚さを変えることが提案されている。その結果、ばねの予荷重が変わり、結果として、閉鎖要素を開く圧力が変わる。異なる厚さの底部要素が、それ以外は同一に構成される閉鎖要素及びばねのバルブに使用される場合、ポペットバルブを用いて流体の貫流を調節することができる。
【０００４】
特許文献１から既知のポペットバルブは、特定の動作期間の後、特に、バルブが汚染された流体、例えば液滴又は粒子を含有するガスによって動作される場合には、その機能が低下するという不利な点を有する。これは、閉鎖要素の移動の抑止又は阻止につながり、この結果、閉鎖要素が閉位置にあるままとなるか、又はもはや完全には閉鎖しない。
【先行技術文献】
【特許文献】
【０００５】
【特許文献１】米国特許出願公開第２０１０／００９０１４９号明細書
【発明の概要】
【発明が解決しようとする課題】
【０００６】
本発明の目的は、より有利な動作特性を有するポペットバルブを構成することである。
【課題を解決するための手段】
【０００７】
この目的は、請求項１の特徴を有するポペットバルブによって達成される。従属項２〜１３は、本発明の更なる有利な実施形態に関する。この目的は、請求項１５の特徴を有するポペットバルブの修理キットによって更に達成される。
【０００８】
この目的は、特にケージ、バルブシート及び複数の閉鎖要素を備えるポペットバルブによって達成される。ケージは、軸方向に延びる複数のボアを有し、ボアはバルブシートに向かって開き、バルブシートとは反対の端に底部要素を有し、軸方向Ａに移動可能な閉鎖要素が各ボア内に配置される。バルブシートは、軸方向Ａにボアに対向して配置される複数の通路開口を有し、それによって、通路開口のそれぞれを閉鎖要素のうちの１つによって閉じることができる。支持要素がボアのそれぞれに配置され、ばねが、バルブシートに向かって方向付けられる予荷重力を閉鎖要素に印加するために、各支持要素とそれぞれの閉鎖要素との間に配置される。支持要素は、ボアに対して偏心して配置される少なくとも１つの支持要素開口を有し、底部要素は、支持要素及び底部要素を通って軸方向Ａにボアに対して偏心して配置される通路を形成するために、ボアに対して偏心して配置される少なくとも１つの底部要素開口を有する。
【０００９】
本発明によるポペットバルブは、支持要素及び底部要素を通るボアに対して偏心して配置される通路を有し、それによって、ボアに、又はボアと閉鎖要素との間に入り込む塵埃粒子を、偏心して配置される通路を介してボアから排出することができるという利点を有する。特に有利な実施形態では、偏心して配置される通路は、ボアの壁の領域に配置され、これは、閉鎖要素の移動によって塵埃粒子が通路に向かう方向に運ばれ、その結果、汚染物質がボアから自動的に掃気されて排出されるという利点を与える。特許文献１において開示されているポペットバルブは、対照的に、衝撃を与える閉鎖要素に起因して、支持要素に対する閉鎖要素の衝撃によって支持要素上に汚染物質が圧縮され、それによって、汚染物質が支持要素上に蓄積し、比較的短い動作期間の後であっても、ボア内の支持要素の移動が制限されるというかなり不都合な点を有する。更なる不利な点は、閉鎖要素が尚早に摩耗することである。
【００１０】
本発明による圧縮機のポペットバルブは、ケージ、バルブシート及び複数の閉鎖要素を備える。バルブシートは複数の通路開口を有し、通路開口のそれぞれを閉鎖要素のうちの１つによって閉じることができる。ケージは、閉鎖要素の数に対応する複数のボアを有し、各閉鎖要素は、対応するボアに少なくとも部分的に受け入れられる。支持要素が各ボアに配置され、ばねは支持要素と閉鎖要素との間に配置される。底部要素及び支持要素は、偏心して配置される開口をそれぞれ有するため、対応する相互の位置決め及び／又は対応するサイズによって、２つの開口が底部要素及び支持要素を通って延びる通路を形成する。この文脈における「偏心して」は、開口の中心軸が、ボアの長手方向中心軸とは異なり、すなわち、開口の中心軸がボアの長手方向中心軸と一致しないことを意味する。特に、中心軸を、長手方向中心軸に対してオフセットすることができる。特に有利な実施形態では、中心軸及び長手方向中心軸は互いに対して平行である。
【００１１】
有利な実施形態では、通路は、支持要素に偏心して配置される開口を含む。通路は、底部要素に偏心して配置される開口も含む。特に、支持要素の開口は、以下の形態：凹状の湾曲、Ｖ字形のスロット付きの凹部、Ｕ字形のスロット付きの凹部、又は、支持要素の外径の局所的な縮小によって得られる周方向の凹部のうちの少なくとも１つをとることができる。更なる有利な実施形態では、支持要素は、少なくとも部分的にボアの内壁から少なくとも２ｍｍの距離を有する外形を有することができる。
【００１２】
特に有利な実施形態では、底部要素及び支持要素は、通路が全体的に一定して開口するように互いに適合して構成されている。更なる有利な実施形態では、底部要素及び支持要素は、通路が、底部要素に対する支持要素の相互の位置決めに依存して完全に開くか又は部分的に若しくは更には完全に閉じるように互いに適合して構成されている。有利な実施形態では、支持要素は、ボア内に移動可能に、特にボアの方向に回転可能に及び／又は変位可能に取り付けられる。ボア内の支持要素のこの可動性は、ボアからの汚染物質の排出を更に助けることができる。通路は、底部要素に対する支持要素の相互の位置決めに応じて変わるため、いかなる堆積した汚染物質も通路から定期的に掃気され、それによって、通路がポペットバルブの長期の動作中であっても閉塞されないことが保証される。
【００１３】
有利な実施形態では、支持要素はばねの案内要素を有する。この案内要素は、ばね内に延在する突起として形成することができる。ばねはしたがって、突起を囲み、突起によって適所に固定される。
【００１４】
ここで、例示的な実施形態を参照して本発明を詳細に記載する。
例示的な実施形態を説明するのに用いられる図面は以下を示す。
【図面の簡単な説明】
【００１５】
【図１】本発明によるポペットバルブの図である。
【図２】図１のポペットバルブの縦断面図である。
【図３】支持要素の図である。
【図４】図３の支持要素の上面図である。
【図５】ポペットバルブの詳細な図である。
【図６】底部要素の上面図である。
【図７】支持要素の例示的な実施形態の上面図である。
【図８】支持要素の更なる例示的な実施形態の側面図である。
【図９】ポペットバルブの更なる例示的な実施形態の斜視図である。
【発明を実施するための形態】
【００１６】
原則として、図面において、同じ部分は同じ参照符号を有する。
図１は、組み立てられた状態のポペットバルブ１の斜視図を示している。ポペットバルブ１はバルブシート２及びケージ３を備える。摩耗プレート６がバルブシート２とケージ３との間に配置される。ケージ３は、ナット１０を有するねじボルト９によってバルブシート２に接続される。バルブシート２は複数の通路開口１２を有する。本発明の例示的な実施形態では、バルブシート２は１８個の通路開口１２を含む。バルブシート２は、直径及び要件に応じて異なる数の通路開口１２を有することもできる。
【００１７】
図２は、図１に示されているポペットバルブ１の縦断面図を示している。図の例示的な実施形態では、摩耗プレート６はバルブシート２とケージ３との間に配置されている。更なる例示的な実施形態（図示せず）では、摩耗プレート６を省くこともできる。ケージ３は、ねじボルト９、ナット１０及び座金１１を介してバルブシート２に接続される。ねじボルト９は、ねじ山付きのボア１４を有するケージ３の中央に配置されるボア１８内に保持される。ねじボルト９は、対応するねじ山付きのボア１４と係合する雄ねじを有する。ボルト１７も、バルブシート２及びケージ３の相互の回転を防止する。
【００１８】
バルブシート２は複数の通路開口１２を有する。これらの通路開口１２は閉鎖要素４によって閉じることができる。摩耗プレート６はバルブシート２に直接隣接して配置される。摩耗プレート６も、組み立てられた状態ではバルブシート２の通路開口１２と整合される通路開口を含む。
【００１９】
ケージ３は、軸方向Ａに延びる複数のボア１３を有し、ボア１３はバルブシート２に向かって開いており、ボア１３は、バルブシート２とは反対の端において、底部要素７で終端する。軸方向Ａに移動可能である閉鎖要素４が各ボア１３内に配置され、バルブシート２は、軸方向Ａにボア１３とは反対側に配置される複数の通路開口１２を有し、それによって、通路開口１２のそれぞれを閉鎖要素４のうちの１つによって閉じることができる。支持要素８が各ボア１３内に配置され、底部要素７に載り、ばね５が、バルブシート２に向かって方向付けられる予荷重力を閉鎖要素４に印加するために、各支持要素８と各閉鎖要素４との間に配置される。支持要素８は、ボア１３又は軸Ａに対して偏心して配置される少なくとも１つの支持要素開口８ａを有する。また、底部要素７は、支持要素８及び底部要素７を通って軸方向Ａにボア１３又は軸Ａに対して偏心して配置される通路１６を形成するために、ボア１３に対して偏心して配置される少なくとも１つの底部要素開口７ａを有する。
【００２０】
閉鎖要素４は、軸Ａの方向にボア１３内に変位可能に取り付けられる。偏心して配置される通路１６は、ボア１３と閉鎖要素４との間の隙間に位置する汚染物質が、閉鎖要素４の下側肩部４ｂによって通路１６を通して積極的に下方に運ばれるか又は放出され、それによって、いかなる汚染物質及び塵埃も通路１６を介してポペットバルブ１から下方に排出されるという利点を有する。通路１６はしたがって、ポペットバルブ１が自動的に掃気されることができ、ボア１３内の塵埃のいかなる蓄積又は堆積も実質的に低減されるか又は更には完全に防止されるという利点を有する。これは、本発明によるポペットバルブ１が、好ましくは長期間の間、例えば数千の動作時間の間にメンテナンスすることなく動作することができるという利点を与える。
【００２１】
図３は、図２に示されている支持要素８の斜視図を示している。支持要素８は、円形の外側外周面８ｅを有する基部本体８ｄを含み、基部本体８ｄは周方向に少なくとも１つの部分８ｇを有し、部分８ｇに沿って支持要素開口８ａを形成するために、基部本体８ｄは、部分８ｇに沿って縮小した直径を有する。縮小した直径は好ましくは少なくとも２ｍｍだけ縮小される。図示の例示的な実施形態では、偏心して配置される開口８ａを形成する支持要素８の側面８ｈが凹状に形成される。側面８ｈとボア１３の内壁との間に開口８ａを形成するために、側面８ｈの形状に関して複数の可能な実施形態がある。有利な実施形態では、周方向に、図４に示されているような支持要素８は、周方向に複数の開口８ａを形成するために縮小した直径を有する複数の側面８ｈを有する。図示の例示的な実施形態では、３つの開口８ａが形成されている。有利な実施形態では、基部本体８ｄは、周方向に部分８ｇに沿って凹状の形状を有する。更なる有利な実施形態では、図７に示されているような基部本体８ｄは、支持要素開口８ａを形成する少なくとも１つのオリフィス８ａを有する。更なる有利な実施形態では、支持要素８は、周方向に離間した複数の支持要素開口８ａを有する。有利な実施形態では、支持要素８はばね５の案内要素８ｃを有する。有利には、図２に示されているような支持要素８は、連続的な中央のボア８ｂを有することができる。有利な実施形態では、軸方向Ａに延びるばね５は外径５ａを有し、支持要素開口８ａは、図４に示されているように、この外径５ａの外側に配置される。
【００２２】
図５は、ボア１３及び閉鎖要素４が内部に配置されるケージ３を詳細に示している。支持要素８は底部要素７に載り、支持要素８及び底部要素７は、通路１６が軸Ａの方向に連続的に配置される開口８ａ、７ａによって形成されるように相互に配置される。図６は、図５に示されている底部要素７の上面図を示しており、底部要素は、周方向に複数の偏心して配置される開口７ａを有する。また、底部要素７は、中央に配置される開口７ｂを有することができる。有利な実施形態では、支持要素８は中央のボア８ｂを有し、底部要素７は、中央に付加的な通路１７を形成するように中央に配置される開口７ｂを有する。図５において用いられる支持要素８は、図３及び図４に示されているように構成され、それによって、図５に示されている構成では、周方向に分散して配置される３つの通路１６が形成される。有利な実施形態では、支持要素８は、ボア１３内に移動可能に配置されるため、ボア１３内に軸方向Ａに回転可能及び／又は変位可能に取り付けられる。この回転及び／又は変位は、付加的な掃気効果を加え、ボア１３からのいずれの汚染物質の排出にも役立つ。
【００２３】
図７は、偏心して配置される開口８ａの３つの異なる実施形態を有する支持要素８の上面図を示している。右側に配置されている開口８ａは、図４に示されている開口８ａに対応し、図４に関連して既に詳細に記載した。開口８ａは、図７の左上に示されているように、オリフィス又はボアとして形成することもできる。１つ又は複数のそのようなオリフィスは、周方向に分散して配置することができる。開口は、支持要素８の中心軸Ａに対して偏心して配置されるように複数の可能な構成を有することができる。図７は、下部に、スロットとして又はＶ字形に構成される更なる例示的な開口８ａを示している。
【００２４】
図６に示されている底部要素７は、少なくとも１つの偏心して配置される開口７ａを有しなければならない。少なくとも１つの開口７ａは、複数の形態を有することができ、例えば、図７に示されている開口８ａの形状を有することもできる。唯一の重要な因子は、偏心して配置される開口７ａ、８ａが、共通の通路１６を形成することができるように互いに適合して配置されることである。有利な実施形態では、支持要素８はボア１３内に回転可能に取り付けられる。有利な実施形態では、偏心して配置される開口７ａ、８ａは、少なくとも特定の時間間隔の間、好ましくは連続的に開いている通路１６が形成されるように互いに適合して構成される。
【００２５】
支持要素８は、ばね５を中央位置に保持する機能を果たす複数の形態を有し、偏心して配置される開口８ａも含む。図８は、円形の案内要素８ｃを有するそのような支持要素８の更なる例示的な実施形態を示しており、円形の案内要素８ｃ内では、ばね５が支持要素８に載り、中心が合わせられる。支持要素８は、少なくとも１つの偏心して配置される開口８ａも有し、その１つの可能性のある形態が一例として示されている。しかしながら、支持要素８は、案内要素８ｃを有しないディスクとして構成してもよい。
【００２６】
有利な実施形態では、支持要素８は、ボア１３の壁に対して遊びを有するため、支持要素８は、ボア１３に対して径方向の振動運動を行うことができる。
有利な実施形態では、ポペットバルブ１の修理キットであって、少なくとも１つの閉鎖要素４、及び、偏心して配置される支持要素開口８ａを有する少なくとも１つの支持要素８を備える、修理キットが提供される。通常、閉鎖要素４及び支持要素８は、ポペットバルブ１の動作中に摩耗されるため、一定の動作時間の後に交換しなければならない。修理キットが少なくとも１つのばね５も含む場合に有利であることが分かる。
【００２７】
本発明によるポペットバルブの場合、存在するいかなる塵埃も、有利には、ボア１３の壁と閉鎖要素４との間を流れるバイパス流体とともに除去される。支持要素８及び／又は底部要素７の領域への塵埃堆積物の蓄積が防止され、それによって、有利には、ポペットバルブの連続的な動作が例えば数千の動作時間の期間にわたって可能である。
【００２８】
個々の例示的な実施形態の底部要素７及び／又は支持要素８を任意に組み合わせることができる。特に、底部要素７又は支持要素８は、異なる形態の幾つかの偏心して配置される通路７ａ、８ａも有することができる。図２に示されているようなポペットバルブ１は、複数の底部要素７及び支持要素８を含む。底部要素７及び／又は支持要素８のうちの少なくとも幾つかに、異なる形態の偏心して配置される通路７ａ、８ａを設けることが可能である。
【００２９】
図９に示されている更なる実施形態では、図１及び図２に示されているポペットバルブ１は、ねじボルト９、ナット１０、座金１１及びねじ山付きのボア１４を有せずに構成することもでき、それによって、バルブシート２及びケージ３は、例えば周方向に分散して配置されるねじ等の複数の固定手段１７によって一緒に接続される。図９に示されているような構造の場合、閉鎖要素４を中央に配置することも有利であることが分かっている。図９は、中央に、通路開口１２ａを示しており、その下には、図２に示されているような、移動可能な閉鎖要素４、底部要素開口７ａを有する底部要素７、及びばね５を有する支持要素８が設けられ、それによって、図９に示されているポペットバルブ１は、中央に、閉鎖要素４によって閉じることができる通路開口１２ａも有する。通路開口１２ａ及びこの下に配置されるボア１３、並びに、ボア１３内にばね５とともに変位可能に取り付けられる閉鎖要素４は、好ましくは、図２に示されているボア１３を有する通路開口１２、閉鎖要素４及びばね５と同一に構成される。また、図１及び図２に示されているポペットバルブ１は、ねじボルト９の代わりに、中央に配置される通路開口１２を有するように構成することができる。図１及び図２に示されている実施形態と比較して、そのような実施形態は、より多くの通路開口１２、１２ａを有し、したがってより多い流量を可能にするという利点を有する。
【図１】
2015526649.tif 000003
【図２】
2015526649.tif 000004
【図３】
2015526649.tif 000005
【図４】
2015526649.tif 000006
【図５】
2015526649.tif 000007
【図６】
2015526649.tif 000008
【図７】
2015526649.tif 000009
【図８】
2015526649.tif 000010
【図９】
2015526649.tif 000011
【国際調査報告】
2015526649.tif 000012
2015526649.tif 000013
2015526649.tif 000014
2015526649.tif 000015